(57)【要約】【課題】  引出しの高さ寸法違いに容易に対応することのできる什器の提供。【解決手段】  左右方向に間隔をおいて配置される前柱１，１及び後柱２，２と、前柱１，１間に架設される前引出し受け３と、後柱２，２間に架設される後引出し受け４と、前後の引出し受け３，４間に架設されるレール５，５，５，５と、引出し６，６とを備え、前柱１及び後柱２は、上下方向に多数の係止部７を有し、前引出し受け３及び後引出し受け４は、両端部に柱１，２の係止部７に係止する被係止部８，２１を有すると共に、少なくとも一組のレール受け部９，１０を有し、レール受け部９，１０にレール５を取付けてあり、引出し６をレール５で支持している。【選択図】      図１
2016077320.tif 000002
【特許請求の範囲】
【請求項１】
左右方向に間隔をおいて配置される前柱及び後柱と、前柱間に架設される前引出し受けと、後柱間に架設される後引出し受けと、前後の引出し受け間に架設されるレールと、引出しとを備え、前柱及び後柱は、上下方向に多数の係止部を有し、前引出し受け及び後引出し受けは、両端部に柱の係止部に係止する被係止部を有すると共に、少なくとも一組のレール受け部を有し、レール受け部にレールを取付けてあり、引出しをレールで支持していることを特徴とする什器。
【発明の詳細な説明】
【技術分野】
【０００１】
本発明は、引出しを備える什器に関する。
【背景技術】
【０００２】
コンビニエンスストア等の店舗に設置される接客用のカウンターとして、従来より引出し付きのものがあった。従来の引出し付きのカウンターは、図８に示すように、左右の側板９０，９０間に中間側板９１を設け、側板同士の対向面に引出し９２を受けるレール９３をそれぞれ取付け、そのレール９３に支持して引出し９２を取付けている。
このような従来のカウンターは、左右の側板９０，９０と中間側板９１とに引出し９２を取付ける高さに予め孔加工が必要であり、引出し９２の高さ（深さ）寸法が変わると孔の位置や中間側板９１の上下寸法を変更しなければならなかった。そのため、引出し９２の高さ寸法違いに容易に対応することができず、各高さ寸法に応じた部品を準備する必要があった。
【先行技術文献】
【特許文献】
【０００３】
【非特許文献１】三協立山株式会社 タテヤマアドバンス社発行のカタログ「タテヤマゴンドラ」（商品コード０９８２２１ＳＥ）、２０１２年６月、ｐ．３１８−３１９
【発明の概要】
【発明が解決しようとする課題】
【０００４】
本発明は以上に述べた実情に鑑み、引出しの高さ寸法違いに容易に対応することのできる什器の提供を目的とする。
【課題を解決するための手段】
【０００５】
上記の課題を達成するために請求項１記載の発明による什器は、左右方向に間隔をおいて配置される前柱及び後柱と、前柱間に架設される前引出し受けと、後柱間に架設される後引出し受けと、前後の引出し受け間に架設されるレールと、引出しとを備え、前柱及び後柱は、上下方向に多数の係止部を有し、前引出し受け及び後引出し受けは、両端部に柱の係止部に係止する被係止部を有すると共に、少なくとも一組のレール受け部を有し、レール受け部にレールを取付けてあり、引出しをレールで支持していることを特徴とする。
【発明の効果】
【０００６】
請求項１記載の発明による什器は、前引出し受けと後引出し受けを、柱に上下方向に多数形成された係止部に被係止部を係止して前柱間と後柱間にそれぞれ取付けることで、前引出し受けと後引出し受けの取付け高さを適宜変更することができ、前引出し受けと後引出し受けは少なくとも一組のレール受け部を有し、前引出し受けのレール受け部と後引出し受けのレール受け部間に引出しを支持するレールを取付けることで、引出しの高さ寸法違いに容易に対応することができる。
【図面の簡単な説明】
【０００７】
【図１】引出しの周辺の分解斜視図である。
【図２】引出しの周辺を拡大して示す側面図である。
【図３】引出しの周辺を拡大して示す横断面図である。
【図４】本発明の什器の一実施形態を示す正面図である。
【図５】同什器の側面図である。
【図６】図４のＡ−Ａ断面図である。
【図７】本発明の什器の他の実施形態を示す正面図である。
【図８】従来の引出し付きカウンターの正面図である。
【発明を実施するための形態】
【０００８】
以下、本発明の実施の形態を図面に基づいて説明する。図１〜６は、本発明に係る什器の一実施形態であって、コンビニエンスストアに設置される接客用のカウンターに適用した例を示している。本什器は、図４，５に示すように、左右両側に一対の柱枠１１，１１を備え、上面に天板１２が取付けられ、天板のすぐ下方に左右２つの引出し６，６を備えている。引出し６，６の下方は、観音開き状に開く扉１３，１３が取付けられ、扉１３，１３の後方の柱枠１１，１１間には棚板１４と床板１５が取付けてある。
【０００９】
柱枠１１は、図５に示すように、前柱１及び後柱２と、両柱１，２間の上部と下部に架設した連結材１６，１６とで、矩形に枠組みされている。前柱１及び後柱２の見付面（前面及び後面）には、図１，４に示すように、縦長のスリット状の係止部７が横２列で上下方向に多数形成されている。
【００１０】
図２，３に示すように、引出し６の下方の左右の前柱１，１間には前引出し受け３が取付けてあり、引出し６の後方の左右の後柱２，２間には後引出し受け４が取付けてある。
前引出し受け３は、金属板を折り曲げて形成した本体部１７と、本体部１７の左右両端部に側方に張り出して設けた柱取付部１８，１８を有している。柱取付部１８は、図３に示すように、平面視でＬ型に曲がった形になっており、図２に示すように、前方に向けて突出する先端部に爪片８が上下方向に間隔をおいて２つ形成してある。前引出し受け３は、前記爪片８を前柱１の後面に形成された係止部７に係止することで、前柱１，１間に高さ調整可能に取付けられる。前引出し受け３は、図３に示すように、前柱１，１間に取付けた状態で本体部１７が左右の前柱１，１の対向面間に位置している。前引出し受け３の上面には、図２，６に示すように、２組のレール受け部９，９，９，９が取付けてある。
後引出し受け４は、金属板を折り曲げて形成した本体部１９と、本体部１９の左右両端部に側方に張り出して設けた柱取付部２０，２０を有している。本体部１９は、図１，２に示すように、前側が開放した溝形に形成されている。柱取付部２０は、図３に示すように、平面視でＬ型に曲がった形になっており、図２に示すように、後方に向けて突出する先端部に爪片２１が上下方向に間隔をおいて２つ形成してある。後引出し受け４は、前記爪片２１を後柱２の前面に形成された係止部７に係止することで、後柱２，２間に高さ調整可能に取付けられる。後引出し受け４には、図２，６に示すように、２組のレール受け部１０，１０，１０，１０を備えている。
【００１１】
前引出し受け３と後引出し受け４との間には、図２，３，６に示すように、引出し６，６を支持する左右一対のレール５，５，５，５が２組取付けてある。各レール５は、図３に示すように前端部を前引出し受け４のレール受け部９にネジ２２で固定し、後端部を後引出し受け４の本体部１９に前方から差し入れると共に、図２，図３に示すように爪２３を後引出し受け４のレール受け部１０に係止して取付けてある。前記ネジ２２には、同軸状に前ローラー２４を備えている。
【００１２】
引出し６は、図１〜３に示すように、前面板２５と箱型の収納部２６を備え、収納部２６の左右側面には引出し側レール２７，２７が固定して取付けてあり、該レール２７，２７の後端部に後ローラー２８が取付けてある。引出し６は、図２に示すように、後ローラー２８が前後引出し受け３，４間に架設したレール５に案内され、前ローラー２４上に引出し側レール２７が支持されることで、前後方向に軽く動かせるようになっている。
【００１３】
棚板１４は、図５に示すように、左右の前柱１，１の後面の係止部７に係止してブラケット２９を取付け、そのブラケット２９に支持して取付けてある。なおブラケット２９は、後柱２の前面の係止部７に係止して取付けることもできる。左右の扉１３，１３は、前柱１，１の内側の側面に蝶番３０で取付けてある。
【００１４】
以上に述べたように本什器は、前引出し受け３と後引出し受け４を、柱１，２に上下方向に多数形成された係止部７に爪片８，２１を係止して前柱１，１間と後柱２，２間にそれぞれ取付け、前引出し受け３と後引出し受け４に設けたレール受け部９，１０に引出し６を支持するレール５を取付けたことで、前引出し受け３と後引出し受け４を任意の高さに取付けることができ、従来のもののように左右の引出し６，６の間に中間側板を設ける必要もないので、引出し６の高さ寸法Ｈ違いに容易に対応することができる。前後引出し受け３，４を取付けるための柱１，２の係止部７は、棚板１４のブラケット２９用の係止部７と兼用のため、合理的である。前引出し受け３の本体部１７が左右の前柱１，１の対向面間に配置されているため、正面から見て什器が平行四辺形状に変形するのを抑えることができる。前後の引出し受け３，４は、柱１，２の見付面に形成された係止部７に取付けることで、天板１２や床板１５等を取付けて左右の柱１，２間の間隔が固定された後でも、容易に取付けできる。
【００１５】
図７（ａ）は、左右の引出し６，６を高さ寸法Ｈの大きいものに変更した例を示している。柱枠１１、前後引出し受け３，４、レール５等、引出し６以外の各部品は、図４のものと共通である。このように本什器は、前後引出し受け３，４の取付け高さを変更するだけで、引出し６の高さ寸法違いに対応することができる。
図７（ｂ）は、図４のものと同じ高さ寸法Ｈの引出し６，６を、図４のものより低い位置に配置し、引出し６，６の上に別途棚板３１を配置して、引出し６，６の上に収納スペース３２を設けた例を示している。このように本什器によれば、引出し６，６の設置高さを変更することも容易である。
図示したものは、左右の引出し６，６の幅寸法が同じになっているが、前後引出し受け３，４の中間部に設けられるレール受け部９，１０の位置を左右にずらすことで、左右の引出し６，６の幅寸法が違うものにも対応できる。また、前後引出し受け３，４の中間部に設けられるレール受け部９，１０を無くすことで、左右の柱１，２間の幅いっぱいの一つの引出し６を配置することもできる。また、前後引出し受け３，４にレール受け部９，１０を３組設け、左右の柱１，２間に引出し６を３つ配置することもできる。さらに、引出し６を上下に複数段設けることもできる。
【００１６】
本発明は以上に述べた実施形態に限定されない。引出し部以外の構成、例えば全体の骨格、棚板、扉等の構成は、任意である。前後引出し受けやレール等の具体的な形状は、適宜変更することができる。前引出し受けに蝶番を取付けて開き扉を設けることもできる。本発明は、カウンターに限らず、陳列棚やゴンドラ等、あらゆる什器に適用することができる。
【符号の説明】
【００１７】
１  前柱
２  後柱
３  前引出し受け
４  後引出し受け
５  レール
６  引出し
７  係止部
８  爪片（被係止部）
９，１０  レール受け部
２１  爪片（被係止部）
【図１】
2016077320.tif 000003
【図２】
2016077320.tif 000004
【図３】
2016077320.tif 000005
【図４】
2016077320.tif 000006
【図５】
2016077320.tif 000007
【図６】
2016077320.tif 000008
【図７】
2016077320.tif 000009
【図８】
2016077320.tif 000010